(57)【要約】【課題】第１キャビネットと第２キャビネットとを確実に固定しつつ、できるだけ大きなバッテリを収容する。【解決手段】携帯端末は、第１キャビネット３と第２キャビネット４とを有し、第１キャビネット３と第２キャビネット４との内部にバッテリ６が収容されている。第１キャビネット３には、第２キャビネット４に沿って延びる板金１１が一体成形され、板金１１には、バッテリ６に重なる領域にナット部１４が取付固定され、第２キャビネット４は、ナット部１４において板金１１に締結固定されている。【選択図】図１
2014022813.tif 000002
【特許請求の範囲】
【請求項１】
第１キャビネットと第２キャビネットとを有し、該第１キャビネットと該第２キャビネットとの内部にバッテリが収容された携帯端末であって、
上記第１キャビネットには、上記第２キャビネットに沿って延びる板金が一体成形され、
上記板金には、上記バッテリに重なる領域にナット部が取付固定され、
上記第２キャビネットは、上記ナット部において上記板金に締結固定されている
ことを特徴とする携帯端末。
【請求項２】
請求項１に記載された携帯端末において、
上記ナット部は、上記板金にカシメ固定されている
ことを特徴とする携帯端末。
【請求項３】
請求項１に記載された携帯端末において、
上記ナット部は、上記板金に溶接固定されている
ことを特徴とする携帯端末。
【請求項４】
請求項１乃至３の何れか１つに記載された携帯端末において、
上記板金は、上記バッテリの表面に沿って設けられた剛性フレームにより構成されている
ことを特徴とする携帯端末。
【発明の詳細な説明】
【技術分野】
【０００１】
本発明は、携帯電話機などの携帯端末に関し、特にその筐体の構造に関する。
【背景技術】
【０００２】
一般に、携帯端末の筐体は互いに連結される複数のキャビネットを有し、これらのキャビネット内に液晶ディスプレイ、バッテリ、基板等が内蔵されている。
【０００３】
例えば、特許文献１における携帯端末の筐体は、上側キャビネットと、下側キャビネットと、これら上側及び下側キャビネットの間に介在された表示パネルを保持する保持キャビネットとを有している。
【０００４】
上記保持キャビネットは、上側キャビネットに係止するための係止爪と、下側キャビネットにネジによって締結するためのボスとを有している。係止爪は、ボスに隣接して配置されている。
【先行技術文献】
【特許文献】
【０００５】
【特許文献１】特開２００４−７０６５７号公報
【発明の概要】
【発明が解決しようとする課題】
【０００６】
ところで、携帯端末の筐体は、その外形を大きくせずになるべく大きいバッテリを格納できることが好ましい。
【０００７】
しかし、上記特許文献１の携帯端末では、バッテリの側方においてボスがキャビネットに形成されているので、そのボスの配置スペースの分だけバッテリを側方に大きく設計できない。
【０００８】
また、ボスを樹脂によって構成する場合や、インサートナットを樹脂キャビネットに装着してボスを形成する場合には、そのボスの強度を十分に確保するために、樹脂の厚みを比較的大きくしなければならず、バッテリの配置スペースがより制限されることとなる。
【０００９】
本発明は、かかる点に鑑みてなされたものであり、その目的とするところは、第１キャビネットと第２キャビネットとを確実に固定しつつ、できるだけ大きなバッテリを収容し得るようにすることにある。
【課題を解決するための手段】
【００１０】
上記の目的を達成するために、この発明では、第１キャビネットに一体成形した板金にナット部を取付固定し、そのナット部に第２キャビネットを締結固定するようにした。
【００１１】
具体的に、第１の発明は、第１キャビネットと第２キャビネットとを有し、該第１キャビネットと該第２キャビネットとの内部にバッテリが収容された携帯端末を対象としている。
【００１２】
そして、上記携帯端末において、
上記第１キャビネットには、上記第２キャビネットに沿って延びる板金が一体成形され、
上記板金には、上記バッテリに重なる領域にナット部が取付固定され、
上記第２キャビネットは、上記ナット部において上記板金に締結固定されている。
【００１３】
すなわち、第２キャビネットは、ナット部が取付固定されている板金を介して、第１キャビネットに取り付けられている。そして、ナット部がバッテリと重なる領域に配置されているので、従来のように、バッテリの側方において第１キャビネット又は第２キャビネットにボス部を設ける必要がない。よって、ナット部において第１キャビネットと第２キャビネットとを確実に固定しつつ、より幅広のバッテリを第１及び第２キャビネットの内部に収容することが可能になる。
【００１４】
第２の発明は、第１の発明において、
上記ナット部は、上記板金にカシメ固定されている。
【００１５】
すなわち、ナット部を板金にカシメ固定することにより、ナット部の固定に要する面積を少なくしつつ、その固定を容易に行うことができる。また、板金における平面状の領域であれば、ナット部をカシメ固定できるため、ナット部のレイアウトの自由度が高い。
【００１６】
第３の発明は、第１の発明において、
上記ナット部は、上記板金に溶接固定されている。
【００１７】
すなわち、ナット部を板金に溶接固定することにより、ナット部を板金に確実に取付固定することが可能になる。また、複雑な加工が不要になるので、ナット部の板金への取付固定を容易に行うことができる。
【００１８】
第４の発明は、第１乃至第３の発明の何れか１つにおいて、
上記板金は、上記バッテリの表面に沿って設けられた剛性フレームにより構成されている。
【００１９】
すなわち、剛性フレームによってバッテリの移動が防止されると共に、その剛性フレームを利用してナット部を配置固定することが可能になる。
【発明の効果】
【００２０】
本発明によれば、第１キャビネットに一体成形した板金にナット部を取付固定し、そのナット部に第２キャビネットを締結固定するようにしたので、ナット部において第１キャビネットと第２キャビネットとを確実に固定しつつ、より幅広のバッテリを第１及び第２キャビネットの内部に収容することができる。
【図面の簡単な説明】
【００２１】
【図１】図１は、図２におけるI−I線断面図である。
【図２】図２は、携帯電話機の外観を示す斜視図である。
【図３】図３は、携帯電話機の構成を示す分解斜視図である。
【図４】図４は、図２におけるIV−IV線断面図である。
【図５】図５は、ナット部が取付固定された板金を示す斜視図である。
【発明を実施するための形態】
【００２２】
以下、本発明の実施形態を図面に基づいて詳細に説明する。尚、本発明は、以下の実施形態に限定されるものではない。
【００２３】
図１〜図５は、本発明の実施形態における携帯端末としての携帯電話機１（スマートフォン）を示している。図２は携帯電話機１の外観を示す斜視図である。図１は図２におけるI−I線断面図であり、図３は、携帯電話機の構成を示す分解斜視図である。また、図４は、図２におけるIV−IV線断面図である。図５は、ナット部が取付固定された板金を示す斜視図である。
【００２４】
携帯電話機１は、図１に示すように、表示部２を有する正面側の第１キャビネット３と、この第１キャビネット３の背面側に配置された第２キャビネット４とを有し、この第２キャビネット４の背面側がリアカバー５により覆われている。第１キャビネット３と第２キャビネット４とリアカバー５とにより形成される空間には、例えばポリマー電池等からなるバッテリ６、メイン基板７等が収容されている。
【００２５】
第１キャビネット３は、図２及び図３に示すように、互いに平行に延びる一対の樹脂部材からなると共に、その一対の樹脂部材を繋ぐようにステンレス薄板などからなる板金１１がインサート成形されている。
【００２６】
第２キャビネット４は、図３に示すように、第１キャビネット３に沿って延びる帯状の樹脂部材からなり、各第１キャビネット３に対応してそれぞれ設けられている。そして、第２キャビネット４は、板金１１を介して第１キャビネット３に取り付けられている。尚、第２キャビネット４と第１キャビネット３との間には、パッキン１２が介在されている。
【００２７】
板金１１の背面側には、矩形板状のメイン基板７が配置され、その長辺部分が第２キャビネット４と板金１１との間に挟まれている。一方、板金１１の正面側には、矩形板状のバッテリ６が配置されている。
【００２８】
バッテリ６の正面側には、図１に示すように、表示部２が配置されている。表示部２は、例えば液晶ディスプレイ及びタッチパネル等を含み、第１キャビネット３に形成されたディスプレイ収容凹部３ａに両面テープ等により貼り付けられている。
【００２９】
板金１１は、図１に示すように第２キャビネット４に沿って延びており、図３に示すようにバッテリ６を支持する矩形板状の支持板部１１ａと、支持板部１１ａの長辺部分から正面側に延設された側板部１１ｂとを有している。その側板部１１ｂの先端側が、第１キャビネット３と一体に成形されている。そして、板金１１は、バッテリ６の表面に沿って設けられた剛性フレームにより構成されている。
【００３０】
図１及び図４に示すように、板金１１には、バッテリ６に重なる領域にナット部１４が取付固定されている。すなわち、ナット部１４は、金属材料からなると共に、円筒状のナット本体１４ａと、ナット本体１４ａの一端側に形成されたフランジ部１４ｂとを有している。一方、板金１１の支持板部１１ａには、例えば円状のナット取付孔１１ｃが形成されている。
【００３１】
そして、図１、図３〜図５に示すように、ナット部１４は、ナット本体１４ａの一端側がナット取付孔１１ｃに嵌挿され、フランジ部１４ｂが板金１１の支持板部１１ａに当接した状態で、当該支持板部１１ａにカシメ固定されている。
【００３２】
一方、第２キャビネット４には、ナット挿入孔４ａがナット部１４に対応して形成されている。そうして、ナット挿入孔４ａにナット本体１４ａが挿入された状態で、ビス９がナット部１４に螺合している。そのことにより、第２キャビネット４はナット部１４において板金１１に締結固定されている。
【００３３】
上記携帯電話機１を製造する場合には、まず、板金１１がインサート成形された第１キャビネット３を形成し、その板金１１の支持板部１１ａにナット部１４をカシメ固定する。その後、例えば、支持板部１１ａの背面側に、メイン基板７と、第２キャビネット４とを配置させる。すなわち、第２キャビネット４を、板金１１の支持板部１１ａ及び側板部１１ｂに沿って設けると共に、第２キャビネット４のナット挿入孔４ａにナット部１４のナット本体１４ａを挿入する。このとき、メイン基板７の長辺部分を第２キャビネット４と板金１１の支持板部１１ａとにより挟み込むようにする。その後、ビス９をナット部１４に螺合することにより、第２キャビネット４を板金１１に締結固定する。
【００３４】
次に、板金１１の正面側にバッテリ６を収容する。バッテリ６は、板金１１の支持板部１１ａと側板部１１ｂとによって支持されるため、その移動が制限される。その後、バッテリ６の正面側に配置した表示部２を、第１キャビネット３のディスプレイ収容凹部３ａに両面テープ等により取付固定する。その後、リアカバー５を第１キャビネット３に係合させて携帯電話機１を製造する。
【００３５】
このように構成することで、携帯電話機１では、ナット部１４が取付固定されている板金１１を介して、第２キャビネット４が第１キャビネット３に取り付けられている。さらに、そのナット部１４がバッテリ６と重なる領域に配置されているので、従来のように、バッテリ６の側方において第１キャビネット３又は第２キャビネット４にボス部を設ける必要がない。よって、ナット部１４において第１キャビネット３と第２キャビネット４とを確実に固定しつつ、より幅広のバッテリ６を第１及び第２キャビネット３，４の内部に収容することができる。
【００３６】
さらに、ナット部１４を板金１１にカシメ固定することにより、ナット部１４の固定に要する面積を少なくしつつ、その固定を容易に行うことができる。また、板金１１における平面状の領域であれば、ナット部１４をカシメ固定できるため、ナット部１４のレイアウトの自由度を高めることができる。
【００３７】
さらにまた、剛性フレームとしての板金１１によってバッテリ６の移動を防止できると共に、その剛性フレームを利用してナット部１４を配置固定することができる。
【００３８】
（その他の実施形態）
本発明は、上記実施形態について、以下のような構成としてもよい。
【００３９】
すなわち、上記実施形態では、ナット部１４を板金１１にカシメ固定したが、ナット部１４の板金１１への固定方法はこれに限定されず、例えばナット部１４を板金１１に溶接固定するようにしてもよい。
【００４０】
ナット部１４を板金１１に溶接固定することにより、ナット部１４を板金１１に確実に取付固定できる。また、複雑な加工が不要になるので、ナット部１４の板金１１への取付固定を容易に行うことができる。
【００４１】
上記実施形態では、携帯端末は、スマートフォンを含む携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、突き合わせる一対のキャビネット内にバッテリを有する携帯電話機などの携帯端末について有用である。
【符号の説明】
【００４４】
１      携帯電話機 
２      表示部 
３      第１キャビネット 
４      第２キャビネット 
６      バッテリ 
９      ビス 
１１      板金 
１４      ナット部 
【図１】
2014022813.tif 000003
【図２】
2014022813.tif 000004
【図３】
2014022813.tif 000005
【図４】
2014022813.tif 000006
【図５】
2014022813.tif 000007